(57)【要約】【課題】ウェブ上の広告閲覧の履歴に基づき、ユーザが興味を持っているであろう店舗のスタンプカードをユーザに意識させることなく自動的に生成して提供すること。【解決手段】ユーザ識別情報と、広告閲覧履歴と、店舗を識別するための店舗識別子とを対応付けて記憶するユーザ情報記憶手段と、前記ユーザ端末からユーザ識別情報を受信すると、該ユーザ識別情報に基づいてユーザを特定し、特定されたユーザの広告の閲覧履歴を前記ユーザ情報記憶手段から取得するユーザ情報取得手段と、前記ユーザの広告の閲覧履歴が、所定期間存在するか否かを判断する広告閲覧履歴期間判断手段と、前記広告の閲覧履歴が、所定期間存在する場合に、前記広告と対応付けられる店舗を前記店舗識別子によって特定し、該店舗の特典情報を電子スタンプとして電子スタンプカードに付与して前記ユーザ端末に対して送信するスタンプカード生成送信手段とを有する。【選択図】図２
2011128684.tif 000002
【特許請求の範囲】
【請求項１】
ユーザ端末とネットワークを介して接続された情報処理装置において、
ユーザ識別情報と、広告閲覧履歴と、店舗を識別するための店舗識別子とを対応付けて記憶するユーザ情報記憶手段と、
前記ユーザ端末からユーザ識別情報を受信すると、前記ユーザ情報記憶手段に記憶されているユーザ識別情報に基づいてユーザを特定し、特定されたユーザの広告の閲覧履歴を前記ユーザ情報記憶手段から取得するユーザ情報取得手段と、
前記特定されたユーザの広告の閲覧履歴が、所定期間存在するか否かを判断する広告閲覧履歴期間判断手段と、
前記広告の閲覧履歴が、所定期間存在する場合に、前記広告と対応付けられる店舗を前記店舗識別子によって特定し、特定された店舗の特典情報を電子スタンプとして電子スタンプカードに付与して前記ユーザ端末に対して送信するスタンプカード生成送信手段と、
を有することを特徴とする情報処理装置。
【請求項２】
前記店舗識別子と、店舗の位置情報と、前記広告閲覧履歴とを対応付けて記憶する店舗情報記憶手段と、
前記ユーザ端末から送信される当該ユーザ端末の位置情報を受信すると、前記店舗情報記憶手段に記憶されている店舗の位置情報を参照して、前記ユーザ端末の位置から所定の範囲内に位置する店舗を特定する店舗情報取得手段とを備え、
前記スタンプカード生成送信手段は、前記特定した店舗の特典情報を電子スタンプとして電子スタンプカードに付与して前記ユーザ端末に対して送信する、請求項１記載の情報処理装置。
【請求項３】
前記ユーザ情報記憶手段は、前記店舗識別子によって特定される店舗で用いられる電子スタンプカードの利用期限情報を保持し、
前記スタンプカード生成送信手段は、前記電子スタンプカードの利用期限が過ぎているか否かを判断し、前記利用期限が過ぎていると判定した場合には前記店舗に対応する電子スタンプカードを生成して前記ユーザ端末に対して送信する、請求項１又は２記載の情報処理装置。
【請求項４】
前記店舗情報記憶手段は、店舗識別子によって識別される店舗毎のポイントの付与率をさらに記憶し、
前記スタンプカード生成送信手段は、前記ポイント付与率に基づいた特典情報を電子スタンプとして生成するポイント付与制御手段を有する、請求項２又は３記載の情報処理装置。
【請求項５】
情報処理装置からネットワークを介して、ユーザ端末に特典情報を送信する情報処理方法において、
前記ユーザ端末からユーザ識別情報と位置情報を受信するステップと、
前記ユーザ端末からのユーザ識別情報に基づいてユーザを特定するステップと、
前記ユーザ端末からの位置情報に基づいて、前記特定したユーザ端末の現在地を特定し、特定した前記ユーザ端末の現在地に対応する店舗を特定するステップと、
前記特定された店舗の広告の閲覧履歴が、所定期間存在するか否かを判断するステップと、
前記広告の閲覧履歴が、所定期間存在する場合に、前記広告と対応付けられる店舗の特典情報を電子スタンプとして電子スタンプカードに付与して前記ユーザ端末に対して送信するステップと、
を含むことを特徴とする情報処理方法。
【請求項６】
ユーザ端末と、当該ユーザ端末とネットワークを介して接続された情報処理装置と、を備えた情報処理システムにおいて、
前記情報処理装置は、
前記ユーザ端末からのユーザ識別情報に基づいてユーザを特定するユーザ識別手段と、
前記ユーザ端末から送信される当該ユーザ端末の位置情報を受信すると、当該位置情報に基づいて、ユーザの現在地を特定し、特定されたユーザの現在地に対応する店舗を特定する店舗識別手段と、
前記特定された店舗の広告の閲覧履歴が、所定期間存在するか否かを判断する広告閲覧履歴期間判断手段と、
前記広告の閲覧履歴が、所定期間存在する場合に、前記広告と対応付けられる店舗の特典情報を電子スタンプとして電子スタンプカードに付与して前記ユーザ端末に対して送信するスタンプカード生成送信手段と、
を有し、
前記ユーザ端末は、
前記情報処理装置から前記電子スタンプカードを受信した場合に、当該電子スタンプカードを所定のフォーマットにて表示するスタンプカード表示手段を有することを特徴とする情報処理システム。
【請求項７】
コンピュータを、ユーザ識別情報と、広告閲覧履歴と、店舗を識別するための店舗識別子とを対応付けて記憶するユーザ情報記憶手段と、
前記ユーザ端末からユーザ識別情報を受信すると、前記ユーザ情報記憶手段に記憶されているユーザ識別情報に基づいてユーザを特定し、特定されたユーザの広告の閲覧履歴を前記ユーザ情報記憶手段から取得するユーザ情報取得手段と、
前記特定されたユーザの広告の閲覧履歴が、所定期間存在するか否かを判断する広告閲覧履歴期間判断手段と、
前記広告の閲覧履歴が、所定期間存在する場合に、前記広告と対応付けられる店舗を前記店舗識別子によって特定し、特定された店舗の特典情報を電子スタンプとして電子スタンプカードに付与して前記ユーザ端末に対して送信するスタンプカード生成送信手段
として機能させるための情報処理プログラム。
【発明の詳細な説明】
【技術分野】
【０００１】
本発明は、インターネット広告を閲覧した利用者（ユーザ）に対しスタンプカードの発行、管理を行う情報処理装置、情報処理方法、情報処理システムおよび情報処理プログラムに関する。
【背景技術】
【０００２】
従来、店舗での利用手続きにより、ポイント会員となった利用者の顧客情報を利用して該利用者のポイント会員となっている店舗がどこにあり、どのくらいのポイント数が貯まっているかなどを認識する技術として、店舗が利用者に対して付与するポイントの情報と、店舗の位置を示す位置情報を、店舗を識別する店舗識別情報と関連付けて店舗情報として取得し、店舗の位置情報と地図情報とに基づいて店舗の位置を特定させる例が提案されている（例えば、特許文献１参照）。
【先行技術文献】
【特許文献】
【０００３】
【特許文献１】特開２００３−２６３５９５号公報
【発明の概要】
【発明が解決しようとする課題】
【０００４】
ユーザが買い物などの際に提示し、例えば、一定金額ごとにポイントが付くカードとしてスタンプカードがある。ユーザはポイントを値引きに使用したり、特典に交換したりする。ユーザにとって複数の店舗のスタンプカードを携帯するという必要性があるもののその管理は非常に煩わしいものであった。上記のような従来技術は、ポイント会員の店舗の位置やポイント情報を認識できるものの、スタンプカード発行処理にかかる手間が軽減されるわけではない。また、ユーザ一人あたりのスタンプカード保有枚数が増大している場合に、スタンプカード管理の煩雑さを解消することは難しい。
【０００５】
本発明は、上記のような課題に対応するもので、その目的は、店舗等で発行されるスタンプカード管理の煩雑さを抑制しつつ、ユーザが興味を持っているであろう店舗のスタンプカードをユーザに意識させることなく自動的に生成してユーザの端末に提供することである。
【課題を解決するための手段】
【０００６】
上記の課題を解決するため、本発明にあっては、請求項１に記載されるように、ユーザ端末とネットワークを介して接続された情報処理装置において、ユーザ識別情報と、広告閲覧履歴と、店舗を識別するための店舗識別子とを対応付けて記憶するユーザ情報記憶手段と、前記ユーザ端末からユーザ識別情報を受信すると、前記ユーザ情報記憶手段に記憶されているユーザ識別情報に基づいてユーザを特定し、特定されたユーザの広告の閲覧履歴を前記ユーザ情報記憶手段から取得するユーザ情報取得手段と、前記特定されたユーザの広告の閲覧履歴が、所定期間存在するか否かを判断する広告閲覧履歴期間判断手段と、前記広告の閲覧履歴が、所定期間存在する場合に、前記広告と対応付けられる店舗を前記店舗識別子によって特定し、特定された店舗の特典情報を電子スタンプとして電子スタンプカードに付与して前記ユーザ端末に対して送信するスタンプカード生成送信手段とを有する情報処理装置を要旨としている。
【０００７】
また、請求項２に記載されるように、請求項１記載の情報処理装置において、前記店舗識別子と、店舗の位置情報と、前記広告閲覧履歴とを対応付けて記憶する店舗情報記憶手段と、前記ユーザ端末から送信される当該ユーザ端末の位置情報を受信すると、前記店舗情報記憶手段に記憶されている店舗の位置情報を参照して、前記ユーザ端末の位置から所定の範囲内に位置する店舗を特定する店舗情報取得手段とを備え、前記スタンプカード生成送信手段は、前記特定した店舗の特典情報を電子スタンプとして電子スタンプカードに付与して前記ユーザ端末に対して送信することができる。
【０００８】
また、請求項３に記載されるように、請求項１又は２記載の情報処理装置において、スタンプカードの利用期限情報を保持し、前記スタンプカード生成送信手段は、前記電子スタンプカードの利用期限が過ぎているか否かを判断し、前記利用期限が過ぎていると判定した場合には前記店舗に対応する電子スタンプカードを生成して前記ユーザ端末に対して送信することができる。
【０００９】
また、請求項４に記載されるように、請求項２又は３記載の情報処理装置において、前記店舗情報記憶手段は、店舗識別子によって識別される店舗毎のポイントの付与率をさらに記憶し、前記スタンプカード生成送信手段は、前記ポイント付与率に基づいた特典情報を電子スタンプとして生成するポイント付与制御手段を有するようにすることができる。
【００１０】
また、請求項５に記載されるように、情報処理装置からネットワークを介して、ユーザ端末に特典情報を送信する情報処理方法において、前記ユーザ端末からユーザ識別情報と位置情報を受信するステップと、前記ユーザ端末からのユーザ識別情報に基づいてユーザを特定するステップと、前記ユーザ端末からの位置情報に基づいて、前記特定したユーザ端末の現在地を特定し、特定した前記ユーザ端末の現在地に対応する店舗を特定するステップと、前記特定された店舗の広告の閲覧履歴が、所定期間存在するか否かを判断するステップと、前記広告の閲覧履歴が、所定期間存在する場合に、前記広告と対応付けられる店舗の特典情報を電子スタンプとして電子スタンプカードに付与して前記ユーザ端末に対して送信するステップとを含む情報処理方法として構成することができる。
【００１１】
また、請求項６に記載されるように、ユーザ端末と、当該ユーザ端末とネットワークを介して接続された情報処理装置と、を備えた情報処理システムにおいて、前記情報処理装置は、前記ユーザ端末からのユーザ識別情報に基づいてユーザを特定するユーザ識別手段と、前記ユーザ端末から送信される当該ユーザ端末の位置情報を受信すると、当該位置情報に基づいて、ユーザの現在地を特定し、特定されたユーザの現在地に対応する店舗を特定する店舗識別手段と、前記特定された店舗の広告の閲覧履歴が、所定期間存在するか否かを判断する広告閲覧履歴期間判断手段と、前記広告の閲覧履歴が、所定期間存在する場合に、前記広告と対応付けられる店舗の特典情報を電子スタンプとして電子スタンプカードに付与して前記ユーザ端末に対して送信するスタンプカード生成送信手段と、を有し、前記ユーザ端末は、前記情報処理装置から前記電子スタンプカードを受信した場合に、当該電子スタンプカードを所定のフォーマットにて表示するスタンプカード表示手段を有する情報処理システムとして構成することができる。
【００１２】
また、請求項７に記載されるように、コンピュータを、ユーザ識別情報と、広告閲覧履歴と、店舗を識別するための店舗識別子とを対応付けて記憶するユーザ情報記憶手段と、
前記ユーザ端末からユーザ識別情報を受信すると、前記ユーザ情報記憶手段に記憶されているユーザ識別情報に基づいてユーザを特定し、特定されたユーザの広告の閲覧履歴を前記ユーザ情報記憶手段から取得するユーザ情報取得手段と、前記特定されたユーザの広告の閲覧履歴が、所定期間存在するか否かを判断する広告閲覧履歴期間判断手段と、前記広告の閲覧履歴が、所定期間存在する場合に、前記広告と対応付けられる店舗を前記店舗識別子によって特定し、特定された店舗の特典情報を電子スタンプとして電子スタンプカードに付与して前記ユーザ端末に対して送信するスタンプカード生成送信手段として機能させる情報処理プログラムとして構成することができる。
【発明の効果】
【００１３】
以上のように、本発明によれば、ユーザの広告閲覧履歴に基づいて、ユーザが興味を持っているであろう店舗を特定し、特定された店舗のスタンプカードを生成し、ユーザ端末に送信するようにしたので、ユーザが店舗に直接出向いてスタンプカード発行の手続きをする必要がなく、ユーザのショッピング等の際の利便性を大幅に向上することができる。
【図面の簡単な説明】
【００１４】
【図１】本発明の第１の実施形態にかかる情報処理システムの構成例を示す図である。
【図２】本発明の第１の実施形態にかかる店舗特典管理サーバの例を示す図である。
【図３】本発明の第１の実施形態にかかるユーザＤＢの例を示す図である。
【図４】本発明の第１の実施形態にかかる店舗ＤＢの例を示す図である。
【図５】本発明の第１の実施形態にかかる携帯端末の構成例を示す図である。
【図６】本発明の第１の実施形態にかかるスタンプカード生成送信処理例を示すフローチャートである。
【図７】本発明の第１の実施形態にかかる携帯端末での処理手順を示すフローチャートである。
【図８】本発明の第１の実施形態にかかる携帯端末に表示される画面例を示す図である。
【図９】本発明の第３の実施形態にかかる携帯端末での処理手順を示すフローチャートである。
【発明を実施するための形態】
【００１５】
以下、本発明の実施形態について図を参照しながら説明する。
＜第１の実施形態＞
図１は本発明の第１の実施形態にかかる情報処理システム１００の構成例を示す図である。
【００１６】
図１において、情報処理システム１００は、インターネット等のネットワーク２に接続され、店舗が発行する特典情報の付与等の処理を行う店舗特典管理サーバ１と、ユーザ情報を記憶するユーザＤＢ（データベース）１６と、店舗情報を記憶する店舗ＤＢ１７と、を備えている。
【００１７】
また、ネットワーク２は携帯電話事業者等のネットワーク３と接続され、ネットワーク３には、ユーザＵの所持するユーザ端末、例えば、携帯電話やＰＤＡ等の携帯端末５との間で無線通信を行う基地局４が接続され、携帯端末５は、一般的なブラウザを備える。ブラウザは、インターネットの標準プロトコルであるＨＴＴＰ（Hyper  Text  Transfer  Protocol）等に従い、ＨＴＭＬ（Hyper  Text  Markup  Language）等の言語で記述されたページデータの要求、取得及び表示、フォームデータの送信等を行う機能を有している。また、ＧＰＳ（Ｇｌｏｂａｌ  Ｐｏｓｉｔｉｏｎｉｎｇ  Ｓｙｓｔｅｍ：全地球測位システム）に代表される携帯端末５の位置情報を取得する機能を有する。なお、参照符号６で示すのは広告主の店舗である。携帯端末５のユーザＵは、移動中であれば、携帯端末５を、自宅８等の屋内にいるときであれば、パーソナルコンピュータ９（以下、ＰＣという）を使用してインターネットに接続し、Ｗｅｂページの閲覧をする。
【００１８】
図２は、店舗特典管理サーバ１が有する主要な機能ブロックを示す図である。店舗特典管理サーバ１は、携帯端末機器番号/位置情報取得部１１と、ユーザ情報取得部１２と、店舗情報取得部１３と、ポイント付与処理部１４と、スタンプカード生成送信処理部１５とを備えている。
【００１９】
携帯端末機器番号／位置情報取得部１１は、携帯端末５から送信される携帯端末識別のための携帯端末機器番号情報、携帯端末位置情報を取得する。ユーザ情報取得部１２は、ユーザＤＢ１６へのアクセスにより、携帯端末５のユーザ特定に必要なユーザ情報を抽出する。店舗情報取得部１３は、店舗ＤＢ１７へのアクセスにより、ユーザの現在地周辺の地域にある店舗特定に必要な店舗情報を抽出する。ポイント付与処理部１４は、店舗毎に定められる特典情報、例えば、特典としてのポイント付与のための処理を行い、スタンプカード生成送信処理部１５は、付与されたポイントの情報を電子スタンプ化し電子押印するスタンプカードを生成して携帯端末５に送信する。かかるスタンプカードは、例えば、商品を提供（販売又は貸与）する店舗や、サービスを提供する店舗によって発行される。
【００２０】
図３は、ユーザＤＢ１６の例を示す図であり、携帯端末５のユーザを識別する「ユーザＩＤ」フィールドと、携帯端末５の機器番号を示す「ユーザ端末機器番号」フィールドと、広告の載っているＷｅｂページの閲覧履歴を示す「広告閲覧履歴」フィールドと、店舗６を識別する「ショップＩＤ」フィールドとを含んでいる。
【００２１】
「広告閲覧履歴」フィールドには、ユーザＵが携帯端末５搭載のＷｅｂブラウザを用いて閲覧した広告の載っているＷｅｂページのＵＲＬ（ｈｔｔｐ://アドレス）と、閲覧時の日付がＷｅｂページ閲覧履歴として記憶される。「ショップＩＤ」には、すでに生成された店舗スタンプカードの有効期限情報が店舗を識別するためのＩＤと対応付けられて記憶される。ここで、広告の載っているＷｅｂページの閲覧履歴の蓄積方法の一例について説明する。例えば、ユーザＩＤ：ＡＡＡＡをもつユーザがインターネット上の情報を検索するための検索エンジンを用いて検索語を入力すると、検索したキーワードと関連性の高い店舗の広告がユーザに示される（いわゆる検索連動型広告）。本実施形態では、ユーザが上記店舗の広告サイトをクリックしなくてもＷｅｂページに示された店舗のサービスや取り扱っている商品等にユーザが興味を示したとみなし、その店舗の広告が閲覧されたものとして履歴がデータベースに蓄積されていく。データベースへの蓄積は、閲覧されたＷｅｂページのＵＲＬと、閲覧時の日付が記憶される。例えば、店舗ＤＢ１７の「広告閲覧履歴」フィールドに以下のようなＵＲＬと、Ｗｅｂページ閲覧時の日付が記憶される。
ｈｔｔｐ//ＸＸＸＸ−０１/・・・・・（２００９/０１/１５）
【００２２】
図４は、店舗ＤＢ１７の例を示す図であり、店舗を識別する「ショップＩＤ」フィールドと、店舗の位置を示す「位置情報」フィールドと、ユーザＤＢ１６に記憶されている広告閲覧履歴を識別するための「広告ＩＤ」フィールドと、店舗毎に定められるポイント付与率を示す「ＵＰ率」フィールドと、店舗毎に定められるスタンプカードのデザイン情報を示す「カードデザイン」フィールドと、店舗毎に定められる電子スタンプのデザイン情報を示す「スタンプデザイン」フィールドと、店舗の広告を閲覧した携帯端末の機器番号を示す「閲覧端末番号」フィールドと、を含んでいる。
【００２３】
図５は、携帯端末５の構成例を示す図であり、ＧＰＳ衛星７（図１）からの信号を受信するＧＰＳ受信部５１と、基地局４（図１）との間で音声および非音声のデータ送受信を行うセルラー送受信部５２と、音声および非音声のデータ処理を行うデータ処理部５３と、データ処理の過程で使用されるデータを保持する記憶部５４と、デジタルカメラ機能を提供するカメラ部５５と、現在日時情報を出力する時計部５６と、取得したデータ内容および機器状態を表示する液晶パネル等よりなる表示部５７と、テンキー等よりなる操作部５８と、マイク、スピーカを含む通話部５９と、を備えている。
【００２４】
図６は第１の実施形態にかかるスタンプカード生成送信処理例を示すフローチャートである。なお、あらかじめユーザが携帯端末５あるいはＰＣ９、ラップトップコンピュータ等を使用してインターネットに接続し、キーワード検索がされた際にそのキーワードと関連付けられる店舗の広告の載っているＷｅｂページの閲覧履歴がユーザＤＢ１６に登録されているものとする。本実施形態は、携帯端末５のユーザＵが、例えば、自宅８にいて、移動してない場合の実施形態である。
【００２５】
図６において、店舗特典管理サーバ１の携帯端末機器番号／位置情報取得部１１は、携帯端末から送信される携帯端末機器番号の情報（携帯端末ＩＤ）、携帯端末位置情報を取得すると（ステップＳ１１）、携帯端末ＩＤについてはユーザ情報取得部１２に通知し、携帯端末位置情報については、店舗情報取得部１３に通知する。本実施形態では、携帯端末位置情報を用いない場合の処理について説明をする。携帯端末位置情報を用いた場合の処理については第２の実施形態において説明する。ユーザ情報取得部１２は、携帯端末ＩＤの通知を受信すると、ユーザＤＢ１６へアクセスし、通知された携帯端末ＩＤと、ユーザＤＢ１６に記憶されているユーザ端末機器番号とを照合し、一致したユーザ端末機器番号に対応するユーザＩＤを持つユーザをスタンプカード生成送信対象ユーザとして特定する（ステップＳ１２）。例えば、携帯端末５から携帯端末ＩＤとして０００１２３４５が送信された場合、ユーザ情報取得部１２は、ユーザＤＢ１６を参照し、記憶されているユーザ端末機器番号０００１２３４５からユーザＩＤ：ＡＡＡＡを持つユーザをスタンプカード生成送信対象ユーザとして特定する。
【００２６】
店舗情報取得部１３は、ユーザ情報取得部１２から通知されるユーザ特定情報（ユーザＩＤとユーザ端末機器番号の情報）を受信すると、店舗ＤＢ１７へアクセスし、特定されたユーザの端末機器番号と一致する閲覧端末番号があるか否かを判断し、一致した閲覧端末番号に対応する店舗を広告の閲覧があった店舗として特定する（ステップＳ１３）。例えば、通知された端末機器番号０００１２３４５であった場合、店舗情報取得部１３は、店舗ＤＢ１７を参照し、その端末機器番号０００１２３４５と一致する閲覧端末番号を検索する。そして、一致した閲覧端末番号０００１２３４５に対応するショップＩＤ（本例では、ｘｘｘ−１２３）を持つ店舗を広告の閲覧があった店舗として特定する。
【００２７】
ポイント付与処理部１４は、ユーザ情報取得部１２からユーザＩＤ：ＡＡＡＡを取得し、店舗情報取得部１３から上記のようにして特定された店舗の情報、すなわちショップＩＤ：ｘｘｘ−１２３を取得する。そして、当該ユーザＩＤ：ＡＡＡＡをもつユーザが閲覧した店舗（ショップＩＤ：ｘｘｘ−１２３）の広告の載っているＷｅｂページの閲覧履歴を、ユーザＤＢ１６を参照し、広告の載っているＷｅｂページの閲覧履歴が一定期間あったか否かを判定（ステップＳ１４）する。例えば、閲覧履歴として記憶されている広告の載っているＷｅｂページのＵＲＬが複数存在しているか否かを判断し、異なった日に店舗（ショップＩＤ：ｘｘｘ−１２３）の広告の載っているＷｅｂページへのアクセスがあれば、当該店舗の広告が一定期間閲覧されたとみなす。
【００２８】
ポイント付与処理部１４は、ステップＳ１４で、ユーザの広告閲覧履歴が一定期間ないと判定した場合（ステップＳ１４でＮＯ）は、ユーザＤＢ１６を参照してショップＩＤが
正しく登録されているかどうかを判定し（ステップＳ１５）、正しくショップＩＤの登録がされてないと判定されれば（ステップＳ１５でＮＯ）、当該ショップＩＤをユーザＤＢ１６に登録させる（ステップＳ１６）。そして、その登録された店舗のポイント情報が生成される（ステップＳ１７）。ステップＳ１３によって、店舗の特定がなされるが、特定された店舗のショップＩＤがユーザＤＢ１６に正しく登録されていない場合もあり得る。そこで、実施例では、上記ステップＳ１５で、再度確認するようにした。
【００２９】
スタンプカード生成送信処理部１５は、店舗ＤＢ１７にアクセスし、デフォルトのカードデザインの情報と上記ポイント情報を電子スタンプ化する際のスタンプデザインの情報を取得する。その後、上記カードデザイン情報に基づき、新規登録されたショップＩＤ：ｘｘｘ−１２３を持つ店舗のスタンプカードを生成し、上記スタンプデザインを用いた電子スタンプを当該スタンプカードに電子捺印して携帯端末に送信する（ステップＳ１８）。上記ポイント情報には、例えば、電子スタンプ数に係わる情報が含まれ、その数に応じた電子スタンプが生成されてスタンプカードに電子捺印される。電子スタンプ数は、店舗毎に定めることができる。この処理は、ショップＩＤが新規登録となる場合であり、例えば、登録の特典として店舗毎に定められるポイント数が付与されたスタンプカードが生成され、携帯端末５に送信される。
【００３０】
図７は第１の実施形態にかかる携帯端末での処理手順を示すフローチャートである。携帯端末５は、店舗特典管理サーバ１から送信されるスタンプカードの情報を、セルラー送受信部５２を介して受信（ステップＳ５１）した後、データ処理部５３に送る。データ処理部５３は、受け取ったスタンプカードの情報を表示部５７で表示させるための表示データを生成する（ステップＳ５２）。
【００３１】
図８は第１の実施形態にかかる携帯端末に表示される画面例を示す図である。携帯端末５の表示部５７では、例えば、同図に示すように、店舗毎のカードデザインを持ったスタンプカードが表示される。本例の場合、新規登録のポイント数として、３つのポイントが付与されたスタンプカードが表示される。
【００３２】
図６に戻り説明を続ける。ポイント付与処理部１４は、ステップＳ１５でショップＩＤの登録がされていると判定された場合（ステップＳ１５でＹＥＳ）、そのショップＩＤでのスタンプカードの有効期限が切れていないか否かを判定し（ステップＳ１９）、スタンプカードの有効期限が切れていないと判断されれば（ステップＳ１９でＹＥＳ）、その登録済み店舗が特典情報としてユーザに付与するポイント情報が生成される（ステップＳ１７）。スタンプカード生成送信処理部１５は、上記ポイント情報を電子スタンプ化し、当該登録済み店舗のスタンプカードを生成し、生成されたスタンプカードに電子スタンプを電子捺印して携帯端末５に送信する（ステップＳ１８）。この場合、既に店舗登録があり、ショップＩＤ新規登録時にスタンプカードを受け取っているものの、ユーザの店舗での買い物等を積極的に誘引するようあらかじめ店舗毎に定めたポイントを付与して送信される。
【００３３】
一方、ステップＳ１９でスタンプカードの有効期限が切れていると判断されれば（ステップＳ１９でＮＯ）、ポイント付与処理部１４は、有効期限切れのスタンプカードを管理している店舗のショップＩＤをユーザＤＢ１６に再登録させる（ステップＳ１６）。ステップＳ１６以降は上記同様にしてステップＳ１７、ステップＳ１８の処理がなされて新たにスタンプカードが生成され携帯端末５に送信される。
【００３４】
ステップＳ１４に戻り、ユーザＩＤ：ＡＡＡＡを持つユーザの広告閲覧履歴が一定期間あったと判定された場合（ステップＳ１４でＹＥＳ）、ポイント付与処理部１４は、ユーザＤＢ１６を参照してショップＩＤが登録されているか否かを判定する（ステップＳ２０）。ここで、広告閲覧履歴が一定期間あるか否かの判定方法の一例について説明する。
【００３５】
図３のユーザＤＢ１６に広告閲覧履歴フィールドに、ショップＩＤ：ｘｘｘ−１２３の広告閲覧履歴として
ｈｔｔｐ//ＸＸＸＸ-０１/・・・・・（２００９/０１/１５）、
ｈｔｔｐ//ＸＸＸＸ-０２/・・・・・（２００９/０８/０１）、
ｈｔｔｐ//ＸＸＸＸ-０４/・・・・・（２００９/１１/１０）
が記憶されていたものとする。この場合、ショップＩＤ：ｘｘｘ−１２３の広告が表示されたＵＲＬが３つあり、それぞれ異なった日にアクセスがあるため、本実施形態では、店舗広告の閲覧が一定期間あったものとしている。「一定期間」の基準設定については、店舗毎に任意に定めることができる。例えば、同日にアクセス回数が複数あった場合でも一定期間経過とみなすことができ、またアクセス日が２００８年、２００９年それぞれ一回しかないような場合であっても、一定期間経過したとみなすことができる。さらに、これらのアクセスは、自宅のＰＣ９からでも携帯端末５からであってもかまわない。
【００３６】
ポイント付与処理部１４は、ステップＳ２０でショップＩＤの登録がされていると判定した場合（ステップＳ２０でＹＥＳ）、ユーザＤＢ１６を参照しそのショップＩＤのスタンプカードの有効期限が切れていないか否かを判定する（ステップＳ２１）。この判定でスタンプカードの有効期限が切れていないと判断された場合は（ステップＳ２１でＹＥＳ）、ポイント付与処理部１４は、特典情報として、例えば、店舗毎にあらかじめ定められ
るポイントの付与率に基づいてアップしたポイント情報を生成する（ステップＳ２２）。
【００３７】
スタンプカード生成送信処理部１５は、ポイントの付与率に基づいてアップしたポイント情報を電子スタンプ化し、生成される店舗スタンプカードに電子捺印して携帯端末５に送信する（ステップＳ１８）。この処理では、既に店舗登録があり、その店舗の広告閲覧履歴が一定期間ある場合なので、ユーザがその店舗の広告に興味を示し、その店舗でのサービスや取り扱っている商品等に一定の興味を持っているであろうとみなし、購買意欲を促進する目的でポイントアップさせたスタンプカードを生成し、携帯端末５に送信する。店舗６は、店舗ＤＢ１７に記憶されるポイントＵＰ率を、例えば、キャンペーン期間中はポイントＵＰ率を多くする等してイベントに応じて変更することができる。
【００３８】
一方、ステップＳ２０でショップＩＤの登録がされていないと判定された場合（ステップＳ２０でＮＯ）、ポイント付与処理部１４は、店舗広告の載っているＷｅｂページの閲覧があるものの当該店舗のＩＤ（ショップＩＤ）が登録されていない、例えば、登録漏れと判断し、当該ショップＩＤをユーザＤＢ１６に登録させる（ステップＳ２３）。この処理以降は、上記のステップＳ２２、Ｓ１８と同様の処理がなされる。ポイント付与処理部１４は、ステップＳ２１でショップＩＤの登録がある店舗のスタンプカードの有効期限が切れていると判定した場合（ステップＳ２１でＮＯ）、有効期限切れのスタンプカードの発行主である店舗のショップＩＤをユーザＤＢ１６に登録させる（ステップＳ２３）。ステップＳ２３以降は上記同様にしてステップＳ２２、ステップＳ１８の処理がなされて新たにスタンプカードが生成されて携帯端末５に送信される。
【００３９】
以上のように、本実施形態では、ユーザがあらかじめ携帯端末５あるいは自宅のＰＣ９等を使用してインターネットに接続し、キーワード検索した際にそのキーワードと関連付けられる店舗の広告の載っているＷｅｂページの閲覧履歴が一定期間ある場合に、その閲覧した店舗の広告にユーザが興味を持っているであろうとみなし、当該店舗への来店の誘引を促すスタンプカードを生成し当該ユーザの携帯端末５に送信するようにした。これにより、ユーザは、店舗に直接出向いてスタンプカード発行の手続きをする必要がなく、またスタンプカードが自動的に生成されるので、スタンプカード発行処理にかかる手間が軽減され、処理時間も短縮される。また、携帯端末でスタンプカードを管理できるようになるので、紙のスタンプカードは不要となり、スタンプカードの管理の煩雑さからユーザが開放されるという効果がある。さらに、広告主である店舗は、検索に連動した広告に興味を持つターゲット層を抽出し、そのターゲット層を潜在的ユーザとみなしてスタンプカードを生成し送信するので、ユーザの来店誘導を効果的に行えるという効果が得られる。また、店舗の広告の載っているＷｅｂページの閲覧履歴が一定期間ない場合であっても、ショップＩＤが登録されていれば、そのショップＩＤを持つ店舗のスタンプカードを生成して送信するようにしたので、以前上記広告に興味をもったような潜在的なユーザの来店を喚起することが可能となる。
【００４０】
＜第２の実施形態＞
第２の実施形態について、上記第１の実施形態と異なる部分を中心に説明する。システムの構成や装置構成は第１の実施形態と同様であるため説明は省略する。本実施形態は、携帯端末５のユーザＵが移動し、店舗６の周辺にいる場合の実施形態である。処理としては、ポイント付与処理部１４での処理が異なる。
【００４１】
本実施形態は、上述した第１の実施形態で説明した動作とステップＳ１３での処理が異なる。すなわち、ステップＳ１３において、店舗情報取得部１３は、携帯端末位置情報の通知を携帯端末機器番号/位置情報取得部１１より受信すると、店舗ＤＢ１７へアクセスし、通知された携帯端末位置情報と、店舗ＤＢ１７に記憶されている店舗の位置情報とを照合し、携帯端末５の現在位置が広告の閲覧のあった店舗として特定された店舗の位置と一致しているかが判断される。そして、一致した店舗を携帯端末５の近傍に位置する店舗６として特定する。例えば、通知された携帯端末位置情報が３５．６５８７０４，１３９．７４５４０８である場合、店舗情報取得部１３は、店舗ＤＢ１７を参照し、記憶されている店舗の位置情報：３５．６５８７０４，１３９．７４５４０８からショップＩＤ：ｘｘｘ−１２３を持つショップ（店舗６）を携帯端末５の近傍に位置する店舗として特定する。上記一致の判断は、携帯端末の位置と店舗の位置の完全一致に限らず、所定の範囲内での一致を含む条件を採用することも可能である。例えば、携帯端末の位置から所定距離範囲内にある店舗を携帯端末の近傍に位置する店舗として特定する。これにより、携帯端末から所定距離範囲内にあるビルの内部にある店舗のスタンプカードを生成し携帯端末に送信することができる。
【００４２】
このように本実施形態では、携帯端末５の移動に基づき、当該携帯端末５の近傍に位置する店舗が特定されるので、携帯端末５のユーザＵが興味のありそうな店舗の近傍にいるときにその店舗のスタンプカードを自動的に受信することができる。その結果、ユーザＵは、その店舗６でスタンプカードを利用したショッピング等をすぐ行うことができる。また、広告主である店舗６は、検索に連動した広告に興味を持つターゲット層を抽出し、そのターゲット層が自店舗６近傍にいるときに、スタンプカードを生成し送信するので、ユーザの来店誘導をより効果的に行えるという効果が得られる。
【００４３】
＜第３の実施形態＞
上記第１の実施形態、第２の実施形態では、店舗特典管理サーバ１で、店舗毎に定められるカードデザインに基づいてスタンプカードを生成し、携帯端末５に送信する実施形態であったが、本発明の実施形態はこれに限定されるものではない。例えば、図９に示すように、スタンプカードの生成処理を携帯端末５で行ってもよい。この場合、携帯端末５の記憶部５４に数種のカードデザイン情報を予め保持しておき、スタンプカード生成送信処理部１５から送信されるスタンプカード情報を受信（ステップＳ６１）したときに、ユーザが記憶部５４に記憶されている数種のカードデザインの中から好みのスタンプカードのデザインを選択する。その選択されたスタンプカードの情報は、記憶部５４からデータ処理部５３に送られ、当該選択されたスタンプカードが生成される（ステップＳ６２）。データ処理部５３は、ステップＳ６１のときに受信されるポイントの情報を電子スタンプ化したものを生成したスタンプカードに電子捺印して表示部５７に表示（ステップＳ６３）させる。このように本実施形態では、携帯端末５側でスタンプカードを生成し、ユーザに提示するようにしたので、ユーザは複数のスタンプカードデザインの中から好みのデザインを選択することができる。また、この場合、店舗ＤＢ１７でカードデザインの情報を保持する必要がなくなり、メモリのリソースを節約することが可能となる。
【００４４】
なお、上述した実施形態では、携帯端末５の位置情報は、ＧＰＳ衛星７からのＧＰＳ受信により取得する例を説明したが、例えば、Ｗｉ−Ｆｉの機能を用いることで、ＧＰＳ機能を用いなくても、街中やビル内等の周囲にある無線ＬＡＮ基地局等のアクセスポイントからの電測情報から、位置情報を取得することができる。この機能により、携帯端末５は、ＧＰＳ機能では位置を特定しづらいビルの谷間や地下街等においても、位置情報を得ることができる。その結果、地下街等にある店舗のスタンプカードも携帯端末５で受信できるようになり、ユーザに対し、興味のある多くの店舗のスタンプカードを提供することができる。
【００４５】
また、携帯端末５の位置情報は、３次元座標（高さ、緯度、経度）の情報であってよい。すなわち、ユーザから取得する位置は、必ずしも平面的なものに限られず、立体的なものであってもよい。３次元データを用いることで、上記同様ＧＰＳ衛星の電波が届かない地下街や建物内での携帯端末５の位置情報把握が可能となる。
【００４６】
以上、本発明の好適な実施の形態により本発明を説明した。ここでは特定の具体例を示して本発明を説明したが、特許請求の範囲に定義された本発明の広範な趣旨および範囲から逸脱することなく、これら具体例に様々な修正および変更を加えることができることは明らかである。すなわち、具体例の詳細および添付の図面により本発明が限定されるものと解釈してはならない。
【符号の説明】
【００４７】
１      店舗特典管理サーバ
１１    携帯端末機器番号／位置情報取得部
１２    ユーザ情報取得部
１３    店舗情報取得部
１４    ポイント付与処理部
１５    スタンプカード生成送信処理部
１６    ユーザＤＢ
１７    店舗ＤＢ
１００  情報処理システム
２、３  ネットワーク
４      基地局
５      携帯端末
５１    ＧＰＳ受信部
５２    セルラー送受信部
５３    データ処理部
５４    記憶部
５５    カメラ部
５６    時計部
５７    表示部
５８    操作部
５９    通話部
６      店舗
７      ＧＰＳ衛星
Ｕ      ユーザ
【図１】
2011128684.tif 000003
【図２】
2011128684.tif 000004
【図３】
2011128684.tif 000005
【図４】
2011128684.tif 000006
【図５】
2011128684.tif 000007
【図６】
2011128684.tif 000008
【図７】
2011128684.tif 000009
【図８】
2011128684.tif 000010
【図９】
2011128684.tif 000011